(57)【要約】【課題】挿入される導体どうしを導通させるコネクタであって、多様な結線パターンに適合できる汎用的な構造を備えたコネクタを提供する。【解決手段】挿入される導体どうしを導通させるコネクタであって、隔壁を介して配列される３以上のキャビティを有するハウジングと、隔壁のそれぞれを挟むように設けられる一対の端子を有する複数のバスバーとを備え、キャビティの内部において、隣接するバスバーの間は、導体が保持されるギャップが設けられて電気的に開放されており、バスバーが有する端子どうしは電気的に接続されている。【選択図】図１
2016134276.tif 000002
【特許請求の範囲】
【請求項１】
挿入される導体どうしを導通させるコネクタであって、
隔壁を介して配列される３以上のキャビティを有するハウジングと、
前記隔壁のそれぞれを挟むように設けられる一対の端子を有する複数のバスバーとを備え、
前記キャビティの内部において、隣接する前記バスバーの間は、前記導体が保持されるギャップが設けられて電気的に開放されており、
前記バスバーが有する前記端子どうしは電気的に接続されている、ことを特徴とするコネクタ。
【発明の詳細な説明】
【技術分野】
【０００１】
本発明は、挿入される導体どうしを導通させるコネクタに関する。
【背景技術】
【０００２】
挿入される複数の導体を内部で結線状態とするジョイントコネクタであるスプライスコネクタが広く知られている。特許文献１には、コネクタ本体内のバスバーに設けられた接続用パターンに複数の電線導体が接続されることにより、電線導体どうしが互いに導通するようにした第１のスプライスコネクタが記載されている。また、当該特許文献１には、第１のスプライスコネクタにおいて実現できる結線パターンの種類がバスバーに備えられた固定の接続用パターンにより制限されてしまう不都合を解消するための、第２のスプライスコネクタが記載されている。第２のスプライスコネクタでは、コネクタ本体内に挿入された電線導体どうしを橋絡する部材が、所望の結線パターンに合せて必要な数だけコネクタ本体に挿抜可能に組み合わせられる。
【先行技術文献】
【特許文献】
【０００３】
【特許文献１】特開２００１−２６６９７２号公報
【発明の概要】
【発明が解決しようとする課題】
【０００４】
しかしながら、上記従来のスプライスコネクタによれば、実現可能な結線パターンの種類を増加させようとすると、特許文献１のように特別な部品を追加する必要がある。特別な部品の使用は、コネクタを構成するためのコスト増、当該部品を備蓄管理する手間、および、コネクタを結線パターンに応じて組み替える煩雑さを招来する。このように、従来、多様な結線パターンに適合できる汎用的な構造を備えたスプライスコネクタが存在しなかった。
【０００５】
本発明は、上記課題に鑑み、挿入される導体どうしを導通させるコネクタであって、多様な結線パターンに適合できる汎用的な構造を備えたコネクタを提供するものである。
【課題を解決するための手段】
【０００６】
第１の発明は、挿入される導体どうしを導通させるコネクタであって、隔壁を介して配列される３以上のキャビティを有するハウジングと、前記隔壁のそれぞれを挟むように設けられる一対の端子を有する複数のバスバーとを備え、前記キャビティの内部において、隣接する前記バスバーの間は、前記導体が保持されるギャップが設けられて電気的に開放されており、前記バスバーが有する前記端子どうしは電気的に接続されている。
【０００７】
第１の発明によれば、隣接する複数のキャビティにおいて、挿入された導体が各キャビティのギャップに保持されると、導体の両側にあるバスバーどうしが短絡する。導体を保持した連続する全てのバスバーどうしが短絡することによって、その連続したキャビティに挿入された全ての導体どうしが導通する。したがって、当該連続して隣接するキャビティの数を任意に増減することにより、結線する導体の数を任意に変更することができる。
【０００８】
また、導体が挿入されないキャビティを介しては、バスバー間が導通しない。したがって、導体が挿入されないキャビティを境にして、異なる結線系統間を分離することが可能である。
【０００９】
このように、３以上のキャビティの中で、どの範囲の複数のキャビティを１つの結線系統に使用するか、また、どのキャビティを導体の挿入されない系統分離用のキャビティとするかの選定を行うことによって、多様な結線パターンが実現可能となる。そして、このような結線パターンの変更は、導体の挿抜のみによって実施可能であり、結線変更用の特別な部品を要しない。
【発明の効果】
【００１０】
本発明によれば、挿入される導体どうしを導通させるコネクタであって、多様な結線パターンに適合できる汎用的な構造を備えたコネクタを提供することができる。
【図面の簡単な説明】
【００１１】
【図１】本発明の実施形態に係るコネクタの構成を示し、（ａ）はコネクタの斜視図、（ｂ）はコネクタの第１の断面図、（ｃ）はコネクタの第２の断面図
【図２】本発明の実施形態に係るコネクタによる導体どうしの結線状態を示す図
【発明を実施するための形態】
【００１２】
以下、図１および図２を参照しながら、実施の形態について詳細に説明する。本実施形態のコネクタにおいては、隣接するキャビティに跨るバスバーの間に、導体を挿入することで、バスバーを介して隣接する導体の間が短絡する。連続するキャビティのそれぞれに導体を挿入することによって、所望の数の導体を導通させることができる。
【００１３】
[コネクタの構成]
【００１４】
図１（ａ）〜（ｃ）に、本実施形態に係るコネクタ１０の構成を示す。図１（ａ）はコネクタ１０を各キャビティの開口端側を正面側とした場合の斜視図である。図１（ｂ）は、図１（ａ）のＡ−Ａ線矢視断面図である。図１（ｃ）は、図１（ａ）のＢ−Ｂ線矢視断面図である。
【００１５】
コネクタ１０は、挿入される導体Ｌどうしを導通させるスプライスコネクタであり、ハウジング１と保持部２とを備えている。導体Ｌは、例えば電線またはケーブルの導体であり、単一の素導体からなるものでもよいし、撚り線などの複数の素導体からなるものでよい。ハウジング１は、コネクタ１０の外周壁１ａと、複数のキャビティＶ１〜Ｖ１０と、隣接するキャビティを仕切る複数の隔壁１ｂとを備えている。
【００１６】
コネクタ１０は、ハウジング１に取り付けられた複数のバスバー２０を備える。バスバー２０は、第１の端子２０ａおよび第２の端子２０ｂを備えている。第１の端子２０ａおよび第２の端子２０ｂは、キャビティの延伸方向に厚みを有する平板状の導体片からなり、隔壁１ｂを挟んで隣接する２つのキャビティのそれぞれに配置されている。バスバー２０を構成する第１の端子２０ａと第２の端子２０ｂとは、隔壁１ｂを挟んで配置され、隔壁１ｂの下部に設けられた連通孔１ｙを通して電気的に接続されている。また、各キャビティ内には、隣接する２つのバスバー２０のうちの一方のバスバー２０の第１の端子２０ａと、他方のバスバー２０の第２の端子２０ｂとが、キャビティＶ１〜Ｖ１０の配列方向にギャップＧを空けて互いに離隔して配置されている。
【００１７】
ギャップＧは、キャビティに挿入される導体Ｌを挟持できる大きさに設定されている。第１の端子２０ａおよび第２の端子２０ｂは、導体ＬがギャップＧを拡げようとする力に対して生じるばね力によって、導体Ｌを安定に保持する。また、例えば、図１（ｂ）に示すように、キャビティ内で向かい合う第１の端子２０ａおよび第２の端子２０ｂは、ギャップＧの上方において導体ガイド溝Ｒを形成している。当該導体ガイド溝Ｒは、ギャップＧの上方からギャップＧへ向かって導体Ｌの受け入れ幅が減少していくような、Ｖ字状溝をなしている。
【００１８】
図１（ｂ）および図１（ｃ）では、キャビティＶ１〜Ｖ１０間の隔壁１ｂのそれぞれに対して、バスバー２０が１つずつ設けられている。隣接するバスバー２０の間は、導体Ｌが挿入されない状態ではギャップＧにより電気的に開放されている。なお、キャビティＶ１およびＶ１０の内部には、バスバー２０との間に導体を保持するための端子がそれぞれ設けられている。
【００１９】
[コネクタを用いた結線について]
次に、コネクタ１０を用いて複数の導体Ｌを結線する方法を説明する。図１（ａ）〜（ｃ）には、一例として、キャビティＶ１、Ｖ２、Ｖ４〜Ｖ６、Ｖ８〜Ｖ１０のそれぞれに導体Ｌが挿入されて保持された状態が示されている。
【００２０】
これにより、図２に示すような、結線状態が得られる。キャビティＶ１およびＶ２に挿入された各導体Ｌは、キャビティＶ１およびＶ２に跨るバスバー２０を介して互いに導通する。キャビティＶ４〜Ｖ６に挿入された各導体Ｌは、キャビティＶ４およびＶ５に跨るバスバー２０と、キャビティＶ５およびＶ６に跨るバスバー２０とを介して互いに導通する。キャビティＶ８〜Ｖ１０に挿入された各導体Ｌは、キャビティＶ８およびＶ９に跨るバスバー２０と、キャビティＶ９およびＶ１０に跨るバスバー２０とが、キャビティＶ９に挿入された導体Ｌを介して短絡することにより、互いに導通する。
【００２１】
このようにキャビティＶ１〜Ｖ１０の配列方向に連続する所望の数のキャビティに導体を挿入して保持させることによって、挿入された導体を互いに導通させることができる。一方、キャビティＶ３およびキャビティＶ７のそれぞれの内部にある第１の端子２０ａと第２の端子２０ｂとの間は、導体Ｌが挿入されないことにより開放されている。したがって、キャビティＶ１−Ｖ２間の結線系統と、キャビティＶ４−Ｖ６間の結線系統と、キャビティＶ８−Ｖ１０間の結線系統とは、互いに分離される。
【００２２】
図２の結線状態を他の結線状態に変更するには、これまで挿入されていた導体Ｌをコネクタ１０から外した後、互いに導通させようとする導体Ｌを、当該導体Ｌの数だけ連続して並ぶ１つのキャビティ群を選定し直し、導体Ｌを各キャビティに挿入する。また、導体Ｌが挿入されないキャビティを新たに選定し、互いに分離したいキャビティ群どうしを、導体Ｌが挿入されないキャビティを間に挟んで配置する。
【００２３】
［実施の形態の効果等］
本実施形態によれば、連続する複数のキャビティに挿入された導体Ｌが各キャビティのギャップＧに保持されると、導体Ｌの両側にあるバスバー２０どうしが短絡する。これにより、導体Ｌを保持した連続する全てのバスバー２０どうしが短絡し、その連続したキャビティに挿入された全ての導体Ｌどうしが導通する。したがって、当該連続して隣接するキャビティの数を任意に増減することにより、結線する導体Ｌの数を任意に変更することができる。
【００２４】
また、導体Ｌが挿入されないキャビティを介しては、バスバー２０間が導通しない。したがって、導体Ｌが挿入されないキャビティを境にして、異なる結線系統間を分離することが可能である。
【００２５】
このように、仕切られた複数のキャビティの中で、どの範囲の複数のキャビティを１つの結線系統に使用するか、また、どのキャビティを導体の挿入されない系統分離用のキャビティとするかの選定を行うことによって、多様な結線パターンが実現可能となる。そして、このような結線パターンの変更は、導体の挿抜のみによって実施可能であり、結線変更用の特別な部品を要しない。
【００２６】
以上により、挿入される導体どうしを導通させるコネクタであって、多様な結線パターンに適合できる汎用的な構造を備えたコネクタを提供することができる。
【産業上の利用可能性】
【００２７】
本発明は、車両に備えられるワイヤーハーネスなど、複数の電線やケーブルが配置される機器およびシステムなどに適用可能である。
【符号の説明】
【００２８】
１              ハウジング
１ａ            外周壁
１ｂ            隔壁
１ｙ            連通孔
１０            コネクタ
２０            バスバー
２０ａ          第１の端子
２０ｂ          第２の端子
Ｇ              ギャップ
Ｌ              導体
Ｒ              導体ガイド溝
Ｖ１、Ｖ２、Ｖ３、Ｖ４、Ｖ５、Ｖ６、Ｖ７、Ｖ８、Ｖ９、Ｖ１０    キャビティ
【図１】
2016134276.tif 000003
【図２】
2016134276.tif 000004